(57)【特許請求の範囲】
【請求項１】
縦続接続された２段の増幅段と、これら２段の増幅段の初段の増幅段の入力側に設けられ、手動でレベル調整可能な入力段側レベル調整手段と、前記２段の増幅段の段間に設けられ、手動でレベル調整可能な段間レベル調整手段とを、備える増幅手段と、
この増幅手段の出力レベルを表すレベル検出信号を生成する検出手段と、
第１及び第２の基準信号を有し、第１の基準信号は、前記レベル検出信号が第１の基準信号以上のとき、前記入力段側レベル調整手段及び前記段間レベル調整手段のいずれかによるレベル調整が必要である前記レベル検出信号に相当し、第２の基準信号は、前記レベル検出信号が第２の基準信号以上のとき前記入力段側レベル調整手段によるレベル調整が必要で、前記レベル検出信号が第１の基準信号以上で第２の基準信号より小さいとき前記段間レベル調整手段によるレベル調整が必要となる前記レベル検出信号に相当し、第１及び第２の基準信号が境界となる複数のレベル領域のいずれに前記レベル検出信号が属するか判定する判定手段と、
この判定手段の判定結果が入力され、前記レベル検出信号が第１の基準信号以上で第２の基準信号より小さいとき、前記段間レベル調整手段によるレベル調整を指示する表示をし、前記レベル検出信号が第２基準信号以上のとき、前記入力段側レベル調整手段によるレベル調整を指示する表示をする表示手段とを、
具備するブースタ。
【請求項２】
請求項１記載のブースタにおいて、前記表示手段が、前記段間レベル調整手段に対応する第１点灯手段と、前記入力段側レベル調整手段に対応する第２点灯手段とを、備え、前記レベル検出信号が第１の基準信号以上で第２の基準信号より小さいとき、第１点灯手段が点灯し、前記レベル検出信号が第２基準信号以上のとき、第２点灯手段が点灯するブースタ。
【請求項３】
請求項１記載のブースタにおいて、前記判定手段は、第３の基準信号も有し、第３の基準信号は、前記レベル検出信号が第３の基準信号以上のとき前記入力段側レベル調整手段及び前記段間レベル調整手段双方のレベル調整を必要とする前記レベル検出信号に相当し、前記判定手段は、第１乃至第３の基準信号が境界となる複数のレベル領域のいずれに前記レベル検出信号が位置するか判定し、前記表示手段は、前記レベル検出信号が、第１の基準信号以上で第２の基準信号より小さいとき、前記段間レベル調整手段によるレベル調整を指示する表示をし、前記レベル検出信号が第２基準信号以上で第３の基準信号よりも小さいとき、前記入力段側レベル調整手段によるレベル調整を指示する表示をし、前記レベル検出信号が第３の基準信号以上のとき、前記入力段側及び段間レベル調整手段双方による調整を指示する表示をするブースタ。
【請求項４】
請求項３記載のブースタにおいて、前記表示手段が、前記段間レベル調整手段に対応する第１点灯手段と、前記入力段側レベル調整手段に対応する第２点灯手段とを、備え、前記レベル検出信号が第１の基準信号以上で第２の基準信号より小さいとき、第１点灯手段が点灯し、前記レベル検出信号が第２基準信号以上で第３基準信号よりも小さいとき、第２点灯手段が点灯し、前記レベル検出信号が第３の基準信号以上のとき、第１及び第２の点灯手段が共に点灯するブースタ。
【請求項５】
請求項１乃至４いずれか記載のブースタにおいて、前記増幅手段が異なる周波数帯ごとに設けられ、前記検出手段は、前記各増幅手段のうち選択されたものの出力信号レベルを検出し、前記検出手段からのレベル検出信号が、レベルシフト手段によって前記基準信号に対応したものにレベルシフトされて、前記判定手段に供給されるブースタ。
【発明の詳細な説明】
【技術分野】
【０００１】
本発明は、高周波信号を増幅するブースタに関する。
【背景技術】
【０００２】
ブースタは、例えばアンテナで受信したテレビジョン放送信号を増幅して、テレビジョン受信機に供給するために使用されることがある。アンテナで受信するテレビジョン放送信号のレベルは、送信局からの距離等の影響を受けて、様々である。場合によっては、ブースタへの入力されるテレビジョン放送信号のレベルが過大であることがある。この対策が施されたブースタの一例が特許文献１に開示されている。
【０００３】
特許文献１の技術では、増幅回路の入力側に減衰器を設け、減衰器の出力のレベルをレベル検出器によって検出し、検出されたレベルを判定部において基準値と比較し、検出されたレベルが基準値よりも大きいとき、ＬＥＤを点灯させている。
【０００４】
【特許文献１】特開平９−１３０６８６号公報
【発明の開示】
【発明が解決しようとする課題】
【０００５】
しかし、特許文献１の技術では、増幅回路に入力される信号を減衰させているので、このブースタのＮＦが劣化する。例えば増幅回路を複数の増幅段で構成し、これら増幅段の間に減衰器を設け、この減衰器での減衰量を調整することも考えられる。これでは、ＮＦの劣化を防止することはできるが、過入力が前段の増幅段に供給された場合、前段の増幅段が非線形歪みを生じる可能性がある。
【０００６】
入力側と段間とにそれぞれ減衰器を設け、測定器を使用して、各減衰器を調整すれば、ＮＦを最良にし、かつ過入力を防ぐことも可能であるが、一般には測定器を使用せずに、テレビジョン受信機での受信状況を見ながら減衰器の調整を行う。そのため、ブースタの性能を最大限に引き出すことができない。
【０００７】
或いは、ＡＧＣによって減衰器を調整するようにすれば、過入力を防止することは可能になるが、ＮＦの劣化がどうしても生じる。複雑に減衰器を調整するＡＧＣブースタも存在するが、非常にコストがかかり、一般に普及していない。
【０００８】
本発明は、測定器を使用せずに、ブースタの性能を最大限に引き出せるようにレベル調整手段での調整を可能としたブースタを提供することを目的とする。
【課題を解決するための手段】
【０００９】
本発明の一態様のブースタは、増幅手段を有している。この増幅手段は、縦続接続された２段の増幅段を有している。増幅手段は、２段の増幅段の入力側に設けられた入力側レベル調整手段と、２段の増幅段間に設けられた段間レベル調整手段とを、備えている。これらレベル調整手段は、それぞれが手動でレベル調整可能である。入力側レベル調整手段は、段階的にレベルを調整することができるものとすることが望ましく、段階レベル調整手段は、無段階にレベル調整することができるものが望ましい。この増幅手段の出力レベルを、レベル検出手段が検出し、レベル検出信号を生成する。この検出手段からのレベル検出信号が、第１の基準信号と、これよりも大きい第２の基準信号とが境界となる複数のレベル領域のいずれに属するか判定手段が判定する。第１の基準信号は、レベル検出信号が第１の基準信号以上のとき、前記入力段側レベル調整手段及び前記段間レベル調整手段のいずれかによるレベル調整が必要である前記レベル検出信号に相当し、第２の基準信号は、レベル検出信号が第２の基準信号以上のとき前記入力段側レベル調整手段によるレベル調整が必要で、レベル検出信号が第１の基準信号以上で第２の基準信号より小さいとき前記段間レベル調整手段によるレベル調整が必要となる前記レベル検出信号に相当する。前記レベル検出信号が第１の基準信号以上で第２の基準信号より小さいとき、表示手段が前記段間レベル調整手段によるレベル調整を指示する表示をし、前記レベル検出信号が第２基準信号以上のとき、前記表示手段が前記入力側レベル調整手段によるレベル調整を指示する表示をする。
【００１０】
このように構成されたブースタでは、レベル検出信号が第１及び第２の基準信号の間にあるときは、ＮＦの改善のために段間レベル調整手段の調整を指示する表示が表示手段になされ、第２の基準信号をレベル検出信号が超えている場合には、入力側レベル調整手段の調整の指示が表示手段になされる。このように、どのレベル調整手段を調整すればよいかの指示が表示手段に表示され、しかも、その指示が表示手段から消失するまで、指示された調整手段を調整すれば適切にレベル調整が行える。従って、測定器等を使用しなくても、適切に各レベル調整手段を調整することができる。
【００１１】
前記表示手段が、前記段間レベル調整手段に対応する第１点灯手段と、前記入力側レベル調整手段に対応する第２点灯手段とを、備えたものとすることができる。第１及び第２の点灯手段としては、例えば発光素子を使用することができる。前記レベル検出信号が第１の基準信号以上で第２基準信号より小さいとき、第１点灯手段が点灯し、前記レベル検出信号が第２基準信号以上のとき、第２点灯手段が点灯する。
【００１２】
このように構成すると、各レベル調整手段に対応して第１及び第２の点灯手段が設けられ、調整する必要のあるレベル調整手段に対応する点灯手段が点灯するので、どのレベル調整手段を調整するのか即座に理解することができる。
【００１３】
前記判定手段は、前記判定手段は、第３の基準信号も有することがある。第３の基準信号は、レベル検出信号が第３の基準信号以上のとき前記入力段側レベル調整手段及び前記段間レベル調整手段双方のレベル調整を必要とする前記レベル検出信号に相当する。第１乃至第３の基準信号が境界となる複数のレベル領域のいずれに前記レベル検出信号が位置するか判定手段が判定する。前記表示手段は、前記レベル検出信号が、第１の基準信号以上で第２の基準信号より小さいとき、前記段間レベル調整手段によるレベル調整を指示する表示をし、前記レベル検出信号が第２基準信号以上で第３の基準信号よりも小さいとき、前記入力段側レベル調整手段によるレベル調整を指示する表示をし、前記レベル検出信号が第３の基準信号以上のとき、前記入力段側及び段間レベル調整手段双方による調整を指示する表示をする。
【００１４】
このように構成すると、レベル検出信号の値が第３の基準信号を超えている場合には、かなりの過入力であるので、入力側及び段間双方のレベル調整手段による調整の指示が表示手段になされ、より適切な調整が可能となる。
【００１５】
更に、前記表示手段が、上述したように前記段間レベル調整手段に対応する第１点灯手段と、前記入力段側レベル調整手段に対応する第２点灯手段とを、備えるものとすることができる。この場合、前記レベル検出信号が第１の基準信号以上で第２の基準信号より小さいとき、第１点灯手段が点灯し、前記レベル検出信号が第２基準信号以上で第３基準信号よりも小さいとき、第２点灯手段が点灯し、前記レベル検出信号が第３の基準信号以上のとき、第１及び第２の点灯手段が共に点灯する。このように構成すると、２つのレベル調整手段を調整する必要があることを即座に認識することができる。
【００１６】
上記の各態様のいずれかにおいて、前記増幅手段を異なる周波数帯ごとに設けることができる。この場合、前記各増幅手段は、入力された所望周波数帯の信号レベルを持つ信号を増幅する。また、各増幅手段の定格出力レベルが異なる場合もある。各増幅手段は、例えば、ＵＨＦ帯のテレビジョン放送信号と、高域ＶＨＦ帯テレビジョン放送信号と、低域ＶＨＦ帯テレビジョン放送信号とを、それぞれが増幅するものとすることができる。前記検出手段は、前記各増幅手段のうち選択されたものの出力信号レベルを検出する。上記選択は、例えば選択手段によって行うことができる。前記検出手段からのレベル検出信号が、レベルシフト手段によって前記基準信号に対応したものにレベルシフトされて、前記判定手段に供給される。このレベルシフトの量は、各増幅段の入力信号のレベルによって異なっている。なお、レベルシフト手段によるレベルシフト量の選択と、前記検出手段へ供給する各増幅手段の出力信号の選択とは、同期して行うことが可能である。
【００１７】
このように構成すると、レベルシフト手段を設けて、各増幅手段の出力信号のレベル検出信号をシフトさせているので、基準信号を、各増幅段にそれぞれ共通に使用することができ、ブースタの構成を簡略化することができる。
【発明の効果】
【００１８】
以上のように、本発明によれば、測定器を使用しなくても、表示手段の指示に従ってレベル調整手段を調整するだけで、ブースタの性能を最大限に引き出すことができる。
【発明を実施するための最良の形態】
【００１９】
本発明の第１の実施形態のブースタは、図１に示すように増幅手段、例えば増幅回路２を有している。この増幅回路２は、入力端子４に供給された高周波信号、例えばＵＨＦ帯のテレビジョン放送信号を増幅し、出力端子６から出力するためのものである。この増幅回路２では、入力端子４と出力端子６との間に、複数、例えば２つの増幅段８ａ、８ｂが縦続接続されている。初段の増幅段８ａの入力側と入力端子４との間に、入力側レベル調整手段、例えば可変減衰器１０が設けられている。また初段の増幅段８ａと終段の増幅段８ｂとの間に、段間レベル調整手段、例えば可変減衰器１２が設けられている。これら可変減衰器１０、１２は、手動操作によって減衰量を調整することが可能なものである。
【００２０】
可変減衰器１０は、例えば０ｄＢと−１０ｄＢのように複数段階のいずれかの減衰量に減衰量を調整可能なものである。可変減衰器１２は、例えば０ｄＢから−１０ｄＢの範囲で連続的に減衰量を可変可能なものである。
【００２１】
可変減衰器１２は、ＮＦの劣化の影響を受けにくくするために、増幅段８ａ、８ｂ間に設けられている。また、可変減衰器１２を連続的に減衰量を可変可能な可変減衰器としているのは、このブースタからＵＨＦ帯テレビジョン放送信号を定格出力レベルで出力するために、微妙なレベル調整を可能とするためである。
【００２２】
増幅段８ａ、８ｂは、可変減衰器１０、１２での減衰量が０ｄＢで、定格入力レベルの信号が供給されたとき、定格出力レベルとなるように設計されている。従って、過入力が生じた場合、可変減衰器１０、１２によってこのブースタの利得を減少させる。
【００２３】
なお、初段の増幅段８ａは、過入力に対して多少のマージン、例えば約５ｄＢのマージンを持つように構成されている。即ち、定格出力よりも約５ｄＢ大きい出力となっても、飽和せず、出力波形に歪みは生じない。
【００２４】
終段の増幅段８ｂの出力側には、分岐手段、例えば１分岐器１４が設けられ、分岐された増幅段８ｂの出力信号がレベル検出手段、例えば検波器１６に供給され、増幅段８ａ、８ｂによって増幅されたＵＨＦ帯のテレビジョン放送信号のレベル検出が行われる。検波器１６の出力信号であるレベル検出信号は、例えばレベル検出電圧であり、バッファ１８を介して判定手段、例えば判定部２０に供給される。
【００２５】
判定部２０は、２つのウインドコンパレータ２２ａ、２２ｂとコンパレータ２４とを含み、これらにレベル検出電圧が供給されている。ウインドコンパレータ２２ａには、第１の基準信号、例えば基準電圧１と、第２の基準信号、例えば基準電圧２とが供給されており、基準電圧２が基準電圧１よりも大きい。ウインドコンパレータ２２ａは、レベル検出電圧が、基準電圧１以上で、基準電圧２未満のときに、第１状態信号、例えばＨレベルの信号を出力する。ウインドコンパレータ２２ｂには、第２基準電圧と、第３の基準信号、例えば基準電圧３とが供給されている。基準電圧３は、基準電圧２よりも大きい。ウインドコンパレータ２２ｂは、レベル検出電圧が基準電圧２以上で、基準電圧３未満のとき、第２状態信号、例えばＨレベルの信号を出力する。コンパレータ２４には、基準電圧３が供給され、コンパレータ２４は、レベル検出電圧が基準電圧３以上のときに、第３状態信号、例えばＨレベル信号を出力する。
【００２６】
基準電圧１乃至３は、図２に示すように設定されている。即ち、基準電圧１は、増幅回路２の定格出力レベルに対して０ｄＢとなる値に設定され、基準電圧２は、同定格出力レベルに対して５ｄＢとなる値に設定され、基準電圧３は、同定格出力レベルに対して１０ｄＢとなる値に設定されている。
【００２７】
判定部２０は、さらに論理手段、例えばオアゲート２６ａ、２６ｂも有している。オアゲート２６ａには、ウインドコンパレータ２２ｂの出力信号とコンパレータ２４の出力信号とが供給されている。従って、ウインドコンパレータ２２ｂから第２の状態信号であるＨレベルの信号またはコンパレータ２４から第３の状態信号であるＨレベルの信号のいずれかの出力信号が供給されたとき、オアゲート２６ａは、第１の指示信号、例えばＨレベルの出力信号を発生する。同様に、オアゲート２６ｂには、ウインドコンパレータ２２ａの出力信号とコンパレータ２４の出力信号とが供給されている。従って、ウインドコンパレータ２２ａから第２の状態信号であるＨレベルの信号またはコンパレータ２４から第３の状態信号であるＨレベルの信号のいずれかの出力信号が供給されたとき、オアゲート２６ｂは、第２の指示信号、例えばＨレベルの出力信号を発生する。
【００２８】
判定部２０の判定結果を表すオアゲート２６ａ、２６ｂの出力信号は、表示手段、例えば表示部２８に供給される。表示部２８は、第１の点灯手段、例えばＬＥＤ３０ａと、第２の点灯手段、例えばＬＥＤ３０ｂとを有している。ＬＥＤ３０ａは可変減衰器１０に対応し、ＬＥＤ３０ｂは可変減衰器１２に対応する。これらＬＥＤ３０ａ、３０ｂのカソードは、基準電位、例えば接地電位に接続されている。ＬＥＤ３０ａのアノードは、抵抗器３１ａを介してオアゲート２６ａの出力側に接続され、ＬＥＤ３０ｂのアノードは、抵抗器３１ｂを介してオアゲート２６ｂの出力側に接続されている。従って、オアゲート２６ａの出力信号がＨレベルのときに、ＬＥＤ３０ａが発光し、オアゲート２６ｂの出力信号がＨレベルのときに、ＬＥＤ３０ｂが発光する。
【００２９】
このように構成されたブースタでは、通常状態では、可変減衰器１０、１２は減衰量を０ｄＢの状態にしてある。検波器１６のレベル検出電圧が基準電圧１よりも小さい場合、ウインドコンパレータ２２ａ、２２ｂ及びコンパレータ２４のいずれもＨレベルの出力信号を発生せず、ＬＥＤ３０ａ、３０ｂのいずれも発光していない。従って、可変減衰器１０、１２の調整は行われない。
【００３０】
検波器１６のレベル検出電圧が基準電圧１以上で、基準電圧２よりも小さい状態では、すなわち、５ｄＢよりも小さい過入力の場合、ウインドコンパレータ２２ａがＨレベルの出力信号を発生する。このＨレベルの出力信号がオアゲート２６ｂを介して可変減衰器１２に対応するＬＥＤ３０ｂに供給され、ＬＥＤ３０ｂが発光する。この場合、初段の増幅段８ａは上述したように約５ｄＢの過入力に対するマージンを有しているので、ＮＦ劣化を引き起こさないように、作業員が可変減衰器１２だけを調整する。この調整は、発光ダイオード３０ｂが消灯するまで、即ちレベル検出電圧が基準電圧１よりも小さくなるように行われる。
【００３１】
検波器１６のレベル検出電圧が基準電圧２以上で基準電圧３よりも小さい状態では、即ち、５ｄＢ以上で１０ｄＢよりも小さい過入力の場合、ウインドコンパレータ２２ｂがＨレベルの出力信号を発生する。このＨレベルの出力信号がオアゲート２６ａを介してＬＥＤ３０ａに供給され、可変減衰器１０に対応するＬＥＤ３０ａが発光する。この場合、初段の増幅段８ａのマージンを超えた過入力であるので、初段の増幅段８ａへの入力を制限して波形歪みの発生を防止するため、可変減衰器１０だけを作業員が調整する。この調整も、発光ダイオード３０ａが消灯するまで、即ちレベル検出電圧が基準電圧１よりも小さくなるように行われる。
【００３２】
検波器１６のレベル検出電圧が基準電圧３以上である状態では、即ち１０ｄＢ以上の過入力の場合、コンパレータ２４がＨレベルの出力信号を発生する。このＨレベルの出力信号は、オアゲート２６ａ、２６ｂを介して可変減衰器１０、１２にそれぞれ対応するＬＥＤ３０ａ、３０ｂに供給され、これらが発光する。この場合、可変減衰器１０の調整のみでは過入力を解消できないので、作業員は、可変減衰器１０、１２を共に調整する。この調整も、ＬＥＤ３０ａ、３０ｂが共に消灯するまで、即ちレベル検出電圧が基準電圧１よりも小さくなるように行われる。
【００３３】
このように、このブースタでは、ＬＥＤ３０ａ、３０ｂが発光した場合、減衰器の調整が必要であることが報知される。しかもＬＥＤ３０ａ、３０ｂがいずれが発光するか、或いは両方とも発光するかによって、可変減衰器１０、１２のいずれを調整するのか或いは両方とも調整するべきであるのかが報知される。しかも、その調整は、発光していたＬＥＤが消灯するまで行えばよいので、その調整方法も簡易である。従って、なんら測定器を使用せずに、ブースタの性能を最大限に引き出すことができる。また、このブースタの使用地域の相違によってＵＨＦ帯テレビジョン放送信号の波数が異なり、そのため、このブースタへの入力レベルが異なっていても、定格出力レベルで、このブースタから出力することができる。
【００３４】
第２の実施形態のブースタを図３に示す。このブースタは、複数、例えば３つの増幅回路２ａ、２ｂ、２ｃを有している。これら増幅回路２ａ、２ｂ、２ｃは、第１の実施形態の増幅回路２と同様な構成で、可変減衰器１０、初段の増幅段８ａ、可変減衰器１２、終段の増幅段８ｂ等を有している。なお、図３では、増幅回路２ａの一部のみを示してある。
【００３５】
増幅回路２ａは、例えばＵＨＦ帯のテレビジョン放送信号を増幅するためのもので、増幅回路２ｂは、例えば高域ＶＨＦ帯のテレビジョン放送信号を増幅するためのもので、増幅回路２ｃは、例えば低域ＶＨＦ帯のテレビジョン放送信号を増幅するためのものである。いずれの増幅回路２ａ、２ｂ、２ｃも、それぞれの定格入力が供給されたとき、それぞれの定格出力が得られるように設計されている。各増幅回路２ａ、２ｂ、２ｃの定格出力レベルは、異なった値であり、例えば増幅回路２ｃ、増幅回路２ｂ、増幅回路２ａの順に定格出力レベルは大きく設定されている。これは、このブースタからテレビジョン受信機に同軸ケーブルで伝送される間に受ける減衰が、高い周波数ほど大きくなるからである。
また、各帯域における使用波数が低域ＶＨＦ帯、高域ＶＨＦ帯、ＵＨＦ帯の順に多くなっているからである。
【００３６】
各増幅回路２ａ、２ｂ、２ｃの出力信号は、１分岐器３２ａ、３２ｂ、３２ｃによって分岐され、選択手段、例えば切換スイッチ３４の接点３４ａ、３４ｂ、３４ｃに供給されている。これら接点３４ａ乃至３４ｃのうちいずれか選択された１つに接触する切換スイッチ３４の接触子３４ｄを介して各増幅回路２ａ、２ｂ、２ｃの出力信号のうち選択されたものが、検波器１６に供給される。
【００３７】
検波器１６から出力されたレベル検出電圧は、レベルシフト手段、例えばレベルシフト回路３６に供給される。レベルシフト回路３６は、演算増幅器３８を有し、その入力側に抵抗器４０を介してレベル検出電圧が検波器１６から供給されている。演算増幅器３８の入力側と出力側との間には、帰還抵抗可変手段、例えば抵抗切換回路４２が接続されている。
【００３８】
抵抗器切換回路４２は、切換スイッチ４４と抵抗器４６ａ、４６ｂ、４６ｃとを有し、切換スイッチ４４の接点４４ａ、４４ｂ、４４ｃに抵抗器４６ａ、４６ｂ、４６ｃの一端がそれぞれ接続され、各抵抗器４６ａ、４６ｂ、４６ｃの他端が演算増幅器３８の出力側に接続されている。各接点４４ａ、４４ｂ、４４ｃのいずれか１つに接触する切換スイッチ４４の接触子４４ｄが演算増幅器３８の入力側に接続されている。従って、切換スイッチ４４を切り換えることによって、演算増幅器３８の入出力間に接続される帰還抵抗器が、抵抗器４６ａ、４６ｂ、４６ｃのうちの１つとされる。
【００３９】
切換スイッチ４４は切換スイッチ３４と連動しており、接触子３４ｄが接点３４ａに接触しているとき、接触子４４ｄが接点４４ａに接触し、接触子３４ｄが接点３４ｂに接触しているとき、接触子４４ｄが接点４４ｂに接触し、接触子３４ｄが接点３４ｃに接触しているとき、接触子４４ｄが接点４４ｃに接触する。
【００４０】
抵抗器４０と抵抗器４６ａとの比は、検波器１６が増幅回路２ａの定格出力を検波したレベル検出電圧を発生しているとき、演算増幅器３８の出力レベルが、図２に示す基準電圧１となるように選択されている。同様に、抵抗器４０と抵抗器４６ｂとの比は、検波器１６が増幅回路２ｂの定格出力を検波したとき、演算増幅器３８の出力レベルが、図２に示す基準電圧１となるように選択され、抵抗器４０と抵抗器４６ｃとの比は、検波器１６が増幅回路２ｃの定格出力を検波したとき、演算増幅器３８の出力レベルが、図２に示す基準電圧１となるように選択されている。
【００４１】
従って、各増幅回路２ａ、２ｂ、２ｃの出力信号のレベル検出電圧は、それぞれ基準電圧１乃至基準電圧３と比較可能なレベルにシフトされている。このレベルシフト回路３６の出力信号は、バッファ１８を介して判定部２０に供給されている。判定部２０での判定結果に従ってＬＥＤ３０ａ、３０ｂが点灯しなかったり、一方が点灯したり、双方が点灯したりする。
【００４２】
このブースタでは、例えばＵＨＦ帯のテレビジョン放送信号を増幅している増幅回路２ａについて調整を行う場合、切換スイッチ３４の接触子３４ｄを接点３４ａに、切換スイッチ４４の接触子４４ｄを接点４４ａに接触させる。これによって、増幅回路２ａの出力信号が切換スイッチ３４を介して検波器１６に供給され、増幅回路２ａの出力信号のレベル検出電圧が検波器１６によって発生される。このレベル検出電圧がレベルシフト回路３６によってレベルシフトされ、判定部２０に供給され、第１の実施形態と同様にして調整が行われる。同様に、高域ＶＨＦ帯のテレビジョン放送信号を増幅している増幅回路２ｂについて調整を行う場合には、切換スイッチ３４の接触子３４ｄを接点３４ｂに、切換スイッチ４４の接触子４４ｄを接点４４ｂに接触させる。同様に、低域ＶＨＦ帯のテレビジョン放送信号を増幅している増幅回路２ｃについて調整を行う場合には、切換スイッチ３４の接触子３４ｄを接点３４ｃに、切換スイッチ４４の接触子４４ｄを接点４４ｃに接触させる。
【００４３】
このように各増幅回路２ａ、２ｂ、２ｃの出力信号を検波したレベル検出電圧をそれぞれレベルシフト回路３６によってレベルシフトして、判定部２０に供給しているので、判定部２０では、異なる定格出力レベルを持つ増幅回路２ａ乃至２ｃに、３帯域の入力レベルがそれぞれ異なるテレビジョン放送信号が供給される状態で、可変減衰器を調整するのに際し、使用する基準電圧は基準電圧１乃至３の１種類のみでよい。もし、レベルシフト回路３６によってレベルシフトを行っていないと、各増幅回路用に３つの判定部２０が必要であり、しかも、判定部ごとに各増幅回路２ａ、２ｂ、２ｃにそれぞれ対応した３つの基準電圧を準備しなければならず、回路構成が複雑になる。
【００４４】
上記の両実施形態では、テレビジョン放送信号を増幅するブースタに本発明を実施したが、これに限ったものではなく、他の高周波信号を増幅するブースタにも本発明を実施することができる。また、上記の両実施形態では、増幅回路２、２ａ、２ｂ、２ｃは２段の増幅段を有するものとしたが、これに限ったものではなく、更に多くの増幅段を有する増幅回路を使用することもできる。上記の両実施形態では、表示部２８としてＬＥＤ３０ａ、３０ｂを使用したが、これに限ったものではなく、例えば液晶表示装置等の文字や図形を表示可能な表示部を用いて、文字や図形を用いて、いずれの可変減衰器を調整するかを指示するように構成することもできる。上記の両実施形態では、判定部２０は、基準電圧１乃至３を利用して、調整不要、可変減衰器１０の調整、可変減衰器１２の調整、可変減衰器１０、１２の調整の４段階の調整指示を与えたが、例えば基準電圧１、２のみを利用して、調整不要、可変減衰器１０の調整、可変減衰器１２の調整の３段階の調整指示を与えるようにすることもできる。
【図面の簡単な説明】
【００４５】
【図１】本発明の第１の実施形態のブースタのブロック図である。
【図２】図１のブースタで使用している基準電圧１乃至３の関係を示す図である。
【図３】本発明の第２の実施形態のブースタの一部のブロック図である。
【符号の説明】
【００４６】
２  ２ａ  ２ｂ  ２ｃ  増幅回路（増幅手段）
１０  可変減衰器（入力側レベル調整手段）
１２  可変減衰器（段間入力側レベル調整手段）
１６  検波器（レベル検出手段）
２０  判定部（判定手段）
２８  表示部（表示手段）
３６  レベルシフト回路（レベルシフト手段）
【図１】
0004629605.tif 000002
【図２】
0004629605.tif 000003
【図３】
0004629605.tif 000004